(57)【要約】      （修正有）【課題】中空タイプのゴルフクラブヘッドに関する物で、簡単な構造で高反発力を確保し、打球時のフェース面の反発性を容易に調整でき、フェース面のどのエリアーにおいても反発性がより均一で、方向性及び弾道角度も同じである中空タイプのゴルフクラブヘッドを提供する。【解決手段】中空タイプのゴルフクラブヘッドに空気又は窒素ガスなどの乾燥気体を充填し、打球時におけるフェース面の弾力的な撓みによる反発性を乾燥気体の内圧で増大させ、どのエリアーに置いても反発性をより均一にし、反発性をＳＬＥ適合となるように充填圧力を微調整し、方向性及び弾道角度がフェース面のどのエリアーに置いても同じになるように、フェース面の形状をフラットな面にしてなる「気体充填ゴルフクラブヘッド」である。【選択図】図１
2010264045.tif 000002
【特許請求の範囲】
【請求項１】
中空タイプのゴルフクラブヘッドの内面に空気又は窒素ガスなどの乾燥気体が漏れないように、気密性の高いゴム系などの樹脂コーテイングを施し、このゴルフクラブヘッドのソール部の一端に、空気又は窒素ガスなどの乾燥気体を充填するための気密性の高い構造体からなる充填口を取り付け、空気又は窒素ガスなどの乾燥気体を充填してなる中空タイプのゴルフクラブヘッド。
【請求項２】
中空タイプのゴルフクラブヘッドのフェース面形状をフラットな面にしてなる請求項１のゴルフクラブヘッド。
【発明の詳細な説明】
【技術分野】
【０００１】
本発明は、ゴルフクラブヘッド、特に中空タイプのゴルフクラブヘッドに関するものである。
【背景技術】
【０００２】
ウッドタイプのゴルフクラブヘッドは、打球時におけるフェース面の弾性的な撓みによる反発性、左右の方向性及び上下の弾道角度が重要視される。
これらを高めるためにチタン合金などの金属材料や繊維強化樹脂材料などからなる中空タイプのゴルフクラブヘッドが主流となってきており、大型化してきている。
フェース面も広くなり打球時の安心感も増しているが、フェース面のセンターで捉えるか否かで、フェース面の弾性的な撓みによる反発性、打球時における方向性、弾道角度などに大きなバラツキを生じることがある。
【０００３】
このバラツキを無くすために、等反発エリアーを広くし、芯を外したショットでも飛距離が延び、方向性や弾道角度も向上するような改善がなされつつある。
【０００４】
一方、近年ゴルフクラブ（ドライバー）ヘッドのスプリング効果（Spring Like Effect＝SLE）の性能に関するＲ＆Ａ：英国ゴルフ協会及びＪＧＡ：日本ゴルフ協会のルールが改正され、反発係数が一定の値を超える「高反発クラブ」は不適合となり、ルール上は使用禁止となっている。
【０００５】
このようなことから、フェース面の弾性的な撓みによる反発性を確保し、ＳＬＥ適合｛（財）日本ゴルフ協会のルール｝に反発係数を合わせることが出来、フェース面のどのエリアーにおいても弾性的な撓みによる反発性をより均一に出来、方向性及び弾道角度も同じである中空タイプのゴルフクラブヘッドが要求されている。
【発明の開示】
【発明が解決しようとする課題】
【０００６】
上記の要求事項を満足させるための工夫が従来のゴルフクラブヘッドになされているが、構造上複雑で高価な物になっており、解決のための課題が山積している。
【０００７】
フェース面の弾性的な撓みによる反発性を確保するためには、フェース面のスプリング特性とフェース面を保持するクラウン部及びソール部のスプリング特性を活かした設計にする必要がある。このために特開２００４―２０１８５２号広報で開示されているフェース中央部を周辺より厚くした構造や、特開２００5―１９３０６９号広報で開示されているフェース部を保持するクラウン部及びソール部のフェース部近傍に薄肉部を設けるなどの工夫がなされているが、フェース面のどのエリアーにおいても弾性的な撓みによる反発性をより均一にするのは難しく、これらの技術はどちらかと言うと高反発ゴルフクラブヘッドとして開発された。
【０００８】
ＳＬＥルール適合にするために、低重心、高慣性モーメントなどの中空ゴルフクラブヘッドが開発されているが、設計及び製造面で高度な技術が必要となっている。
【０００９】
又、フェース面のどのエリアーにおいても弾性的な撓みによる反発性をより均一にするための改善として、特開２００９―１１８３９号広報で「複数の応力領域を有するゴルフクラブヘッド及びゴルフクラブヘッドの製造方法」が開示されているが、フェース部に衝撃を受けた時に負荷応力をクラウン部の形状で調整する構造で、この場合も設計や製造面でかなり高度な技術を要し確実に目的を達成できているとは言えない。
【００１０】
更に、フェース面は方向性や弾道角度を同じにするためには、フラットな面が望ましいが、フェース面のスプリング特性とフェース面を保持するクラウン部及びソール部のスプリング特性を活かした設計にするために、従来の中空タイプのゴルフクラブヘッドのフェース面は、少し凸状フェース面１０９にする必要があり芯をはずした場合に方向性や弾道角度に影響がある。
従来の中空タイプのゴルフクラブヘッドの凸状フェース面１０９での打球時のボール１０８の弾道イメージを、図２の点線で示す。このように方向性が安定しない。同じことが上下方向の弾道角度についても言える。
【課題を解決するための手段】
【００１１】
本発明は、中空タイプのゴルフクラブヘッドに関するもので、構成について説明すると、
（１）空気又は窒素ガスなどの乾燥気体を充填してなる中空タイプのゴルフクラブヘッド    である。
（２）このヘッドの内面に乾燥気体が漏れないように、気密性の高いゴム系などの樹脂      コーテイングを施してなる中空タイプのゴルフクラブヘッドである。
（３）このゴルフクラブヘッドのソール部の一端に、乾燥気体を充填するための気密性の    高い構造体からなる充填口を取り付けてなる中空タイプのゴルフクラブヘッドであ      る。
（４）このゴルフクラブヘッドのフェース部の反発性を、ＳＬＥ適合｛（財）日本ゴルフ    協会のルール｝となるように、乾燥気体の充填圧力を微調整出来るようにしてなる中    空タイプのゴルフクラブヘッドである。
（５）このヘッドのフェース面の形状を、フラットな面にしてなる中空タイプのゴルフク    ラブヘッドである。
【発明の効果】
【００１２】
本発明のゴルフクラブヘッドの打球時のフェース面の反発特性は、乾燥気体の圧力による反発力とフェース面のスプリング効果による反発力の合成力となる。従って打球時のフェース面の反発特性は、簡単な構造で高反発力を確保できる。
【００１３】
本発明は、乾燥気体を充填してなるためゴルフクラブヘッドの内面にかかる圧力は、内面のどの位置においても均等な圧力となる。従って乾燥気体の圧力による反発力で考えると、打球時のフェース面のどのエリアーにおいても反発力が均一と言える。フェース面のスプリング効果による反発力によるバラツキは発生するが、これを相殺するような設計でもって従来のゴルフクラブヘッドに比べ、打球時のフェース面のどのエリアーにおいてもより均一な反発性を確保できる。
【００１４】
本発明は、乾燥気体を充填してなるため気体の充填圧力の微調整で、打球時のフェース面の反発性を容易に調整でき、ＳＬＥ適合｛（財）日本ゴルフ協会のルール｝に反発係数を合わすことが出来る。従って高反発クラブを提供するためのものではない。
【００１５】
本発明は、フェース面を少し凹状に設計し、フェース面の裏面に均一に掛かる乾燥気体の内圧力でフェース面を膨らませて弾性的な撓みによる反発性を確保しつつ、フェース面の形状をアイアンと同じようにフラットな面に出来、打球の方向性及び弾道角度をフェース面のどのエリアーにおいても同じに出来る。
気体充填ゴルフクラブヘッドのフラットなフェース面１０４での打球時のボール１０８の弾道イメージを、図２の実線で示す。このように安定した方向性を発揮し、同じことが弾道角度についても言える。
【発明を実施するための最良の形態】
【００１６】
本発明は、中空タイプのゴルフクラブヘッドに関する物で、簡単な構造で高反発力を確保し、反発力の微調整が出来、フェース面のどのエリアーにおいても弾性的な撓みによる反発性がより均一で、方向性及び弾道角度も同じである中空タイプのゴルフクラブヘッドを提供する。
【実施例１】
【００１７】
図１は、本発明の１実施例の断面図であって、中空タイプのゴルフクラブヘッド１００の内面に空気又は窒素ガスなどの乾燥気体１０１を充填し、この内面に乾燥気体１０１が漏れないように、気密性の高いゴム系などの樹脂コーテイング１０２を施し、このソール部１０６の一端に、乾燥気体１０１を充填するための気密性の高い構造体からなる充填口１０３を取り付けてなる本発明の「気体充填ゴルフクラブヘッド」である。
【００１８】
図２は、本発明の１実施例の平面図であって、中空タイプのゴルフクラブヘッド１００に充填された乾燥気体１０１の圧力による反発力と、フェース面１０４の弾性による反発性を加味した設計により、乾燥気体１０１の充填後、フェース面１０４の形状をフラットな面を確保し、さらに打球時のフェース面の反発性をＳＬＥ適合｛（財）日本ゴルフ協会のルール｝となるように乾燥気体１０１の充填圧力の微調整をしてなる本発明の「気体充填ゴルフクラブヘッド」である。
【図面の簡単な説明】
【００１９】
【図１】気体充填ゴルフクラブヘッドの断面図である。（実施例１）
【図２】気体充填ゴルフクラブヘッドの平面図である。（実施例1）図２の実線は、気体充填ゴルフクラブヘッドのフラットなフェース面１０４での打球時のボール１０８の弾道イメージである。図２の点線は、従来の中空タイプのゴルフクラブヘッドの凸状フェース面１０９での打球時のボール１０８の弾道イメージである。
【符号の説明】
【００２０】
１００  気体充填ゴルフクラブヘッド
１０１  乾燥気体
１０２  樹脂コーテイング
１０３  充填口
１０４  フェース面
１０５  クラウン部
１０６  ソール部
１０７  ネック部
１０８  ゴルフボール
１０９  従来の中空タイプのゴルフクラブヘッドの凸状フェース面
【図１】
2010264045.tif 000003
【図２】
2010264045.tif 000004